(57)【要約】【課題】サスペンションに孔を設けることで支持力の非線形性と振動体の支持力を低減したスピーカ用振動板において、振動板背面からの逆位相音の振動板前面側への回り込みを防ぐ。【解決手段】本願のスピーカ用振動板は、振動体１と、振動体１の外周部を支持するサスペンション２から構成され、サスペンション２は表面部材３と裏面部材４が積層され、表面部材３および裏面部材４の両方にそれぞれ複数の孔を有し、複数の孔はそれぞれ積層方向に重なり合わないよう配置されたスピーカ用振動板で構成される。複数の孔は積層方向に重なり合わないように配置されるため、振動板背面からの逆位相音の振動板前面側への回り込みを防ぐことが可能となる。これにより、複数の孔の開閉動作によって、振動体の支持力および支持力の非線形性を低減しながら、逆位相音の回り込みを防ぐことができるため、高音質かつ低音再生なスピーカ用振動板を提供可能となる。【選択図】図１（Ａ）
2016019180.tif 000002
【特許請求の範囲】
【請求項１】
振動体と、
前記振動体の外周部に固着され、前記振動体を振動可能に支持するサスペンションとを備え、
前記サスペンションの少なくとも一部は、少なくとも前記サスペンションの表面部を構成する表面部材と、少なくとも前記サスペンションの裏面部を構成する裏面部材が積層され、
前記表面部材と前記裏面部材の間には空間が設けられ、
前記表面部材および前記裏面部材の両方にそれぞれ複数の孔を有し、
前記複数の孔はそれぞれ積層方向に重なり合わないよう配置されたことを特徴とする、
スピーカ用振動板。
【請求項２】
前記表面部材に設けられた孔から前記空間を通って、前記裏面部材に設けられた孔が、
音響ハイカットフィルタを構成し、前記音響ハイカットフィルタの動作周波数が、スピーカの動作周波数以下に設定されたことを特徴とする、
請求項１に記載のスピーカ用振動板。
【請求項３】
前記空間に、液体、ゲル状体、粘着材料、エラストマ材料のいずれかまたは、それらの組み合わせから構成される中間部材を配置したことを特徴とする、
請求項１に記載のスピーカ用振動板。
【請求項４】
前記表面材および前記裏面材は、樹脂フィルム、ソリッドゴム、発泡ゴム、ウレタン、樹脂材料またはゴムが含浸された布材や紙、粘着材料のいずれか、またはそれらの組み合わせから構成されていることを特徴とする、
請求項１に記載のスピーカ用振動板。
【請求項５】
前記表面部材と前記裏面部材のどちらか、あるいは両方の表面に減衰材料をさらに備えたことを特徴とする、
請求項１に記載のスピーカ用振動板。
【請求項６】
前記サスペンションが、ロール形状、あるいは蛇腹形状の断面を有することを特徴とする、
請求項１に記載のスピーカ用振動板。
【請求項７】
前記複数の孔はそれぞれ前記振動体の外周部から前記サスペンションの外周方向に向かって、スリット状に設けられていることを特徴とする、
請求項１に記載のスピーカ用振動板。
【請求項８】
前記複数の孔はそれぞれ前記振動体の外周曲線の法線方向に対し、一程の角度傾けたスリット状に設けられていることを特徴とする、
請求項７に記載のスピーカ用振動板。
【請求項９】
前記振動体の外周部は円、楕円、多角形、あるいは２本以上の直線と曲線の組み合わせで構成される形状であることを特徴とする、
請求項１に記載のスピーカ用振動板。
【請求項１０】
前記振動体の外周部は少なくとも２本の直線と、
少なくとも２箇所以上の曲線部から構成されることを特徴とする、
請求項９に記載のスピーカ用振動板。
【請求項１１】
前記、曲線部のみに前記複数の孔が設けられていることを特徴とする、
請求項１０に記載のスピーカ用振動板。
【請求項１２】
少なくとも前記曲線部に設けられた、前記複数の孔のそれぞれの間隔が不均一であることを特徴とする、
請求項１０に記載のスピーカ用振動板。
【請求項１３】
前記請求項１から１２に記載のスピーカ用振動板を用いたスピーカ装置。
【請求項１４】
前記請求項１３に記載されたスピーカ装置を有する、
映像表示装置、オーディオ機器などのＡＶ機器、携帯電話、スマートフォン、タブレットＰＣ、操作端末等のモバイル情報機器、家電、自動車。
【請求項１５】
少なくともロール状あるいは蛇腹状に成型された前記表面材および前記裏面材に対し、
それぞれレーザー光あるいは機械刃を用いて孔を形成し、その後積層して前記サスペンションを形成する、
請求項１から１４に記載のスピーカ用振動板あるいはスピーカ装置あるいはＡＶ機器、モバイル情報機器、家電、自動車の工法。
【請求項１６】
略平面状の複数の材料に前記孔を設け、それぞれの材料を積層後に所定の形状に成型することによって前記サスペンションを形成する、
請求項１から１４に記載のスピーカ用振動板あるいはスピーカ装置あるいはＡＶ機器、モバイル情報機器、家電、自動車の工法。
【請求項１７】
加工面から少なくとも１つ以上の層を切断し、加工面から反対側に位置する面の層は切断しない、いわゆるハーフカット工法を用いて前記孔を形成する、
請求項１から１４に記載のスピーカ用振動板あるいはスピーカ装置あるいはＡＶ機器、モバイル情報機器、家電、自動車の工法。
【発明の詳細な説明】
【技術分野】
【０００１】
本発明はスピーカ用振動板および当該振動板を備えたスピーカ、当該スピーカを備えた映像音響機器、および当該スピーカを備えた携帯型情報処理装置に関し、より特定的には、広帯域再生が可能な小型のスピーカ、当該スピーカを備えた映像音響機器、および当該スピーカを備えた携帯型情報処理端末、および移動手段、インナーホンに関する。
【背景技術】
【０００２】
近年、映像音響装置、いわゆるＡＶ機器の小型化・高機能化が急速に進行している。特に携帯電話やスマートフォン、タブレットＰＣ（パーソナルコンピュータ）端末などの機器に搭載されるスピーカには性能を維持・向上すると同時に小型・薄型化が求められている。このため、スピーカの小型化で特に高音圧および低音再生性能が課題となっていた。
【０００３】
一般的にスピーカの振動板は、振動体と振動体の外周部を支えるサスペンションから構成される。動電型ならボイスコイル、圧電なら圧電素子に電気信号を加えて振動体を振動させることで、空気に疎密波を発生させ、音を再生する。サスペンションには、振動体がスムーズに振動可能なように支持する「支持」と、振動板背面で発生する逆位相の音が振動板前面に回り込んで再生音を打ち消すことを防止する「逆位相音の封止」の２つの役割がある。
【０００４】
小型スピーカでも大きな音圧を再生するためには、多くの空気を動かすために振動体の面積をできるだけ大きく確保する必要があるが、そのためには振動体の外周部に位置するサスペンションの幅を狭くする必要がある。一方、サスペンションの幅を狭くすると、振動体の支持力の剛性が上昇して低音再生が困難になり、さらには振動体の支持力の線形性（リニアリティ）が悪化するため再生音の高調波歪が増大する。したがって、小型スピーカのサスペンションには、幅が小さくても振動体の支持剛性が低く、振動体の振幅に対する振動体の支持力のリニアリティがよいことが求められる。
【０００５】
そこで従来技術として、振動体を支持するサスペンションにスリット状の孔を設けたものがある（例えば、特許文献１参照）。図１５は、前記特許文献１に記載された従来のスピーカを示すものである。
【０００６】
図１５において、１０１は振動体、１０２は振動体１０１を支持するサスペンション、１０３はサスペンション１０２上に設けられた複数のスリット状の孔である。振動体１０１が振動すると、サスペンション１０２の円周方向に伸縮力がはたらくため、サスペンション１０２に設けたスリット孔１０３が拡がったり、狭まったりする開閉動作により、サスペンション１０２の周方向への伸縮がスムーズになるため、振動体１０１の振動方向への支持力が低減され、振動体１０１を支持する力のリニアリティが向上する。この結果、小型でも低歪で低音再生性能に優れたスピーカを実現することができる。
【先行技術文献】
【特許文献】
【０００７】
【特許文献１】特開平７−２３４９７号公報
【発明の概要】
【発明が解決しようとする課題】
【０００８】
しかしながら、前記従来の構成では、前記振動体１０１を用いたスピーカの再生時、振動体１０１背面からの音が、スリット状の孔１０３を通り振動板前面側に回り込み、スピーカ前面からの音と打ち消し合い、音圧が低下するという課題を有していた。特に波長の長い低音の音は、音の打ち消しが生じやすく、このためスピーカの低音再生が困難となる。さらに、スリット状の孔１０３を通る空気の擦れ音によって、かえって歪音が増加することもある。
【０００９】
本発明は、前記従来の課題を解決するもので、振動板がスムーズに振動でき、かつ振動板背面から、振動板表側に音が回り込まないサスペンションを有するスピーカ用振動板および前記振動板を用いたスピーカ装置および、前記スピーカ装置を搭載したＡＶ機器、タブレット端末やインナーイヤーホンなどのモバイル機器、車や鉄道、飛行機などの移動手段を提供することを目的とする。
【課題を解決するための手段】
【００１０】
前記従来の課題を解決するために、本発明のスピーカ用振動板は、振動体と、前記振動体が振動可能なように、前記振動体の外周部を支持するサスペンションから構成され、前記サスペンションは、少なくとも表面部材と、裏面部材が積層され、前記表面部材と前記裏面部材の間には空間が設けられ、前記表面部材および前記裏面部材の両方に複数の孔を有し、前記複数の孔はそれぞれ積層方向に重なり合わないよう配置されたことを特徴とする。本構成によって、振動体が振動する際に、前記表面部材および前記裏面部材に設けられた前記複数の孔が開閉することで、サスペンションを構成する前記表面部材および前記裏面部材が周方向にスムーズに伸縮することができる。この結果、サスペンションの振動体支持力のリニアリティが向上する。また、同じく前記複数の孔の開閉によりサスペンションがスムーズに動作するため、振動板の振幅方向に対するサスペンションの支持力を低減することができ、同じサイズでも低音再生が可能なスピーカ用振動板を実現することができる。
【００１１】
このとき、前記複数の孔は、前記表面部材と前記裏面部材の積層方向に重なり合わないように配置されるため、振動板の裏面側の空気は裏面部材に設けられた孔から、前記空間を通り、表面部材に設けられた孔から、振動板前面に通じる。従来例に比べ、表面部材と裏面部材の間の狭い空間を通ることで、前記複数の孔を通る空気の制動抵抗は大きくなる。スピーカ駆動時に振動板裏面から発生する逆位相の音が、前記複数の孔を通って、振動板前面に回り込みにくくなり、課題であった振動板背面音による再生音の打ち消しを効果的に低減できる。本構成によって、前記複数の孔の開閉によって振動板のリニアリティの向上および振動板支持力の低減と、従来課題であった振動板背面音による再生音の打ち消し低減を両立することができる。
【発明の効果】
【００１２】
本発明のスピーカ用振動板あるいはスピーカ装置は、複数の孔をそれぞれ有する表面部材と裏面部材から構成されたサスペンションにより、振動体支持力の線形性および剛性低減を実現でき、同時に振動板背面で発生する逆位相音の回り込みによる再生音の打ち消しを防止することができるため、より歪が少なく、低音再生特性に優れたスピーカが実現可能となる。
【図面の簡単な説明】
【００１３】
【図１（Ａ）】本発明の実施の形態１におけるスピーカ用振動板の上面図
【図１（Ｂ）】本発明の実施の形態１におけるサスペンションの一部の分解斜視図
【図１（Ｃ）】本発明の実施の形態１におけるサスペンションの一部の斜視図
【図１（Ｄ）】本発明の実施の形態１におけるサスペンションの一部の断面図
【図１（Ｅ）】本発明の実施の形態１におけるスピーカ用振動板を用いたスピーカユニットの周波数−音圧特性の例
【図２（Ａ）】本発明の実施の形態１におけるスピーカ用振動板の断面図
【図２（Ｂ）】本発明の実施の形態１におけるスピーカ用振動板の断面図
【図２（Ｃ）】本発明の実施の形態１におけるスピーカ用振動板の断面図
【図３】本発明の実施の形態２におけるスピーカ用振動板の上面図
【図４】本発明の実施の形態３におけるスピーカ用振動板の上面図
【図５（Ａ）】本発明の実施の形態３における孔の形状例
【図５（Ｂ）】本発明の実施の形態３における孔の形状例
【図５（Ｃ）】本発明の実施の形態３における孔の形状例
【図５（Ｄ）】本発明の実施の形態３における孔の形状例
【図５（Ｅ）】本発明の実施の形態３における孔の形状例
【図５（Ｆ）】本発明の実施の形態３における孔の形状例
【図６】本発明の実施の形態３における他のスピーカ用振動板の上面図
【図７（Ａ）】本発明の実施の形態３における他のスピーカ用振動板の上面図
【図７（Ｂ）】本発明の実施の形態３における他のスピーカ用振動板の上面図
【図８（Ａ）】本発明の各実施の形態におけるサスペンションの工法例
【図８（Ｂ）】本発明の各実施の形態におけるサスペンションの工法例
【図８（Ｃ）】本発明の各実施の形態におけるサスペンションの工法例
【図８（Ｄ）】本発明の各実施の形態におけるサスペンションの工法例
【図９】本発明の実施の形態４におけるスピーカユニットの断面図
【図１０】本発明の実施の形態４におけるスピーカユニットの一部の断面図
【図１１】本発明の実施の形態５におけるタブレット端末
【図１２】本発明の実施の形態６における画像表示装置
【図１３】本発明の実施の形態７における車載スピーカの搭載図
【図１４】本発明の実施の形態８におけるインナーイヤーホンの断面図
【図１５】従来のスピーカ用振動板の上面図
【発明を実施するための形態】
【００１４】
以下、実施の形態について、図面を参照しながら説明する。
なお、以下で説明する実施の形態は、いずれも本開示の好ましい一具体例を示すものである。以下の実施の形態で示される数値、形状、材料、構成要素、構成要素の配置位置および接続形態、ステップ、ステップの順序などは、一例であり、本開示を限定する主旨ではない。本開示の独立請求項に記載されていない構成要素については、本開示の課題を達成するのに必ずしも必要ではないが、より好ましい形態を構成するものとして説明される。なお、同じ要素には同じ符号を付しており、説明を省略する場合がある。また、以下に記載する全ての実施の形態は、各々に記載の事項を組み合わせて構成することも可能である。
【００１５】
本発明の第１の態様のスピーカ用振動板は、振動体と、前記振動体が振動可能なように、前記振動体の外周部を支持するサスペンションから構成され、前記サスペンションは、少なくとも表面部材と、裏面部材が積層され、前記表面部材と前記裏面部材の間には空間が設けられ、前記表面部材および前記裏面部材の両方に複数の孔を有し、前記複数の孔はそれぞれ積層方向に重なり合わないよう配置されたことを特徴とする。本構成によって、振動体が振動する際に、前記表面部材および前記裏面部材に設けられた前記複数の孔が開閉することで、サスペンションを構成する前記表面部材および前記裏面部材が周方向にスムーズに伸縮することができる。この結果、サスペンションの振動体支持力のリニアリティが向上する。また、同じく前記複数の孔の開閉によりサスペンションがスムーズに動作するため、振動板の振幅方向に対するサスペンションの支持力を低減することができ、同じサイズでも低音再生が可能なスピーカ用振動板を実現することができる。
【００１６】
このとき、前記複数の孔は、前記表面部材と前記裏面部材の積層方向に重なり合わないように配置されるため、振動板の裏面側の空気は裏面部材に設けられた孔から、前記空間を通り、表面部材に設けられた孔から、振動板前面に通じる。従来例に比べ、表面部材と裏面部材の間の狭い空間を通ることで、前記複数の孔を通る空気の制動抵抗は大きくなる。スピーカ駆動時に振動板裏面から発生する逆位相の音が、前記複数の孔を通って、振動板前面に回り込みにくくなり、課題であった振動板背面音による再生音の打ち消しを効果的に低減できる。本構成によって、前記複数の孔の開閉によって振動板のリニアリティの向上および振動板支持力の低減と、従来課題であった振動板背面音による再生音の打ち消し低減を両立することができる。
【００１７】
本発明の第２の態様のスピーカ用振動板は、前記表面部材に設けられた孔から前記空間を通って、前記裏面部材に設けられた孔が、音響ハイカットフィルタを構成し、前記音響ハイカットフィルタの動作周波数が、スピーカの動作周波数以下に設定されたことを特徴とする。スピーカの動作周波数では実質的にサスペンション部を透過しないため、振動板背面音による再生音の打ち消しを防止できる。
【００１８】
本発明の第３の態様のスピーカ用振動板は、前記空間に、液体、ゲル状体、粘着材料、超弾性ゴムのいずれかまたは、それらの組み合わせから構成される中間部材を配置したことを特徴とする。前記複数の孔の開閉動作を阻害せず、前記空間を通じる振動板背面音を完全に遮断することが可能である。
【００１９】
本発明の第４の態様のスピーカ用振動板は、前記表面材および前記裏面材は、樹脂フィルム、ソリッドゴム、発泡ゴム、ウレタン、樹脂材料またはゴムが含浸された布材、粘着材料のいずれか、またはそれらの組み合わせから構成されていることを特徴とする。振動板の支持力の線形性と柔軟性、サスペンションの軽量化、サスペンション材料の損失向上の観点から選択され、スピーカの再生能率、再生音の歪低減、あるいは低音の音量向上に貢献する。
【００２０】
本発明の第５の態様のスピーカ用振動板は、前記表面部材、前記裏面部材のどちらか、あるいは両方の表面に減衰材料、例えばエラストマ、ゴム系材料、油脂系材料などを備えたことを特徴とする。振動体が振動した場合のサスペンションの不要振動を減衰させることで、スピーカ再生音の歪や周波数特性の平坦性向上に効果が得られる。また、ボイスコイル等がサスペンションに接触した場合でも、接触音の発生を抑制、低減する効果も得られる。
【００２１】
本発明の第６の態様のスピーカ用振動板は、サスペンションの断面形状が略円弧状あるいは楕円弧状、複数の半径を持つ円弧の組み合わせ形状である、いわゆるロール形状、あるいは凸形状と凹形状を形成した蛇腹（ベローズ）形状であることを特徴とする。サスペンションが平面で構成された場合に比べ、振動体の振幅方向に対するサスペンションの支持力が、振動体の振幅に対し、より線形になる。したがって、前記複数の孔によるサスペンションのリニアリティ向上の効果をより効果的に得ることができる。
【００２２】
本発明の第７の態様のスピーカ用振動板は、前記複数の孔はそれぞれ前記振動体の外周部から前記サスペンションの外周方向に向かって、スリット状に設けられていることを特徴とする。スリット状とすることで、サスペンションの周方向への伸縮がより容易になり、前記サスペンションの振動板支持力のリニアリティが向上するとともに、支持力を低減することができる。
【００２３】
本発明の第８の態様のスピーカ用振動板は、前記複数の孔はそれぞれ前記振動体の外周曲線の法線方向に対し、一定の角度傾けたスリット状に設けられていることを特徴とする。スリット状の孔に角度をつけることで、スリットの長さを大きくとることができ、より、サスペンションのリニアリティおよび柔軟性を向上することができる。
【００２４】
本発明の第９の態様のスピーカ用振動板は、前記振動板の外周部は円、楕円、多角形、あるいは２本以上の直線と曲線の組み合わせで構成される形状であることを特徴とする。
【００２５】
本発明の第１０の態様では、前記振動体の外周部は少なくとも２本の直線と、少なくとも２箇所以上の曲線部から構成されることを特徴とする。例えば、２本の直線と２本の半円状の曲線から構成される、いわゆる陸上トラックの形状や、長方形の４つの角にそれぞれ曲線部を設けた形状などがある。
【００２６】
本発明の第１１の態様のスピーカ用振動板は、前記曲線部のみに前記複数の孔が設けられていることを特徴とする。本発明の第１０の態様で定義された振動板形状の場合、サスペンションの振動板支持力のうち、前記曲線部における支持力の影響が大きい。このため、曲線部に前記複数の孔を設けることで、効果的に、振動板の線形性向上、振動板の支持力低減を実現することが可能である。
【００２７】
本発明の第１２の態様のスピーカ用振動板は、少なくとも前記曲線部に設けられた、前記複数の孔のそれぞれの間隔が不均一であることを特徴とする。サスペンションの周方向の応力が大きいところに、集中的に孔を配置することで、効果的に振動板の支持力の線形性向上、支持力低減の効果が得られる。
【００２８】
本発明の第１５の態様のスピーカ用振動板あるいはスピーカ装置あるいはＡＶ機器、モバイル情報機器、家電、自動車の工法は、少なくともロール状あるいは蛇腹状に成型された前記表面材および前記裏面材に対し、それぞれレーザー光あるいは機械刃を用いて孔を形成し、その後積層して前記サスペンションを形成する。成型後に孔を形成することで、孔の位置精度、形状精度が得られる。
【００２９】
本発明の第１６の態様のスピーカ用振動板あるいはスピーカ装置あるいはＡＶ機器、モバイル情報機器、家電、自動車の工法は、略平面状の複数の材料に前記孔を設け、それぞれの材料を積層後に所定の形状に成型することによって前記サスペンションを形成する。立体形状への孔あけ加工より、平面状の状態での孔あけ加工の方が加工機の構造が簡便であり、低コストである。また、位置決めや材料の固定を容易に行うことができる。
【００３０】
本発明の第１７の態様のスピーカ用振動板あるいはスピーカ装置あるいはＡＶ機器、モバイル情報機器、家電、自動車の工法は、加工面から少なくとも１つ以上の層を切断し、加工面から反対側に位置する面の層は切断しない、いわゆるハーフカット工法を用いて前記孔を形成する。ハーフカット工法を用いることで、積層後の加工が可能である。積層前に孔あけ加工する工法に比べ、積層時の表面部材と裏面部材の位置ずれを防止することができるため、より高い形状精度のサスペンションを構成することが可能である。
【００３１】
（実施の形態１）
図１（Ａ）は、本発明の実施の形態１におけるスピーカ用振動板の上面図である。
図１（Ａ）において、１は振動体、２は振動体１の外周部に設けられたサスペンションであり、サスペンション２は表面部材３および裏面部材４が積層されている。５は表面部材３に設けられた孔、６は裏面部材４に設けられた孔である。表面部材３に設けられた孔５と裏面部材４に設けられた孔６は、サスペンション２の積層方向に重ならないよう配置されている。図１（Ｂ）はサスペンションの一部（図１（Ａ）の点線部Ｂ）の構造を説明するための斜視図である。表面部材３はサスペンション２の内周部から外周部に向かってスリット状の孔が４つ設けられている。一方、裏面部材４には同じくサスペンション２の内周部から外周部に向かってスリット状の孔が３つ設けられている。これらを積層すると、図１（Ｃ）のようになる。図１（Ｃ）に示すように、表面部材３に設けられた孔５と裏面部材４に設けられた孔６は、サスペンション２の積層方向に重ならないよう配置されている。図１（Ｄ）はサスペンション２の断面（図１（Ａ）のＤ−Ｄ’）である。断面形状はロール状に形成されている。サスペンション２の外周部は接着剤７によって表面部材３と裏面部材４が接着されている。同じくサスペンション２の内周部も接着剤８で表面部材３と裏面部材４が接着されている。
【００３２】
本実施の形態１に記載のスピーカ用振動板が搭載されたスピーカ装置は、振動体１が図１（Ａ）の奥側および手前側に振動することで音を再生する。このとき、振動体１が振動できるように外周部を支持するのがサスペンション２であり、サスペンション２の外周部は固定される。図１（Ｂ）において、振動体１が下側に変位した際、サスペンション２の曲線部（図１（Ａ）の点線部Ｂ）では、サスペンション２の内周側では圧縮方向、外周側では伸長方向に応力が発生する。逆に、サスペンション２の内周部が上側に変位した際、サスペンション２の内周側では伸長方向、外周側では圧縮方向に応力が発生する。このとき、サスペンション２に設けられたスリット状の孔５、６があるため、孔によって上記応力が緩和されるため、サスペンション２の周方向における伸長、圧縮が容易となる。このため、振動体１が振動しやすくなる。したがって、振動体１の振幅に対するサスペンション２の支持力のリニアリティが向上し、スピーカ再生音の高調波歪が低減でき、音質が向上する。また、サスペンション２の支持力を低減することが可能であり、より低音を再生可能なスピーカ装置が実現可能となる。図１（Ｄ）において、サスペンション２の表面部材３と裏面部材４は接着剤７、８でのみ接着されているため、積層してもそれぞれの孔の開閉は阻害されない。スムーズに孔５、６が開閉することで、リニアリティのよい、振動体１の支持剛性の低いサスペンション２を実現できる。
【００３３】
図１（Ａ）におけるＥ−Ｅ’の断面の一部は、図２（Ａ）のようになっている。表面部材３に設けられたスリット孔５と裏面部材４に設けられたスリット孔６が、サスペンション２の積層方向に重なっていないため、振動板の背面から前面に抜ける空気の通り道は、Ｆ−Ｆ’で示される。表面部材３と裏面部材４の層間は狭いため、振動板の背面で発生する逆位相音が振動板の前面に回り込みにくくなる。より具体的には、振動体背面側の空間と空気の経路Ｆ−Ｆ’とに基づいて下記の式１で求められるカット周波数を有するハイパスフィルタが構成される。表面部材３と裏面部材４の空気の経路を細く、長く形成することで、このハイパスフィルタのカット周波数ｆｃを、スピーカの動作周波数以下に設定すれば、実質的に振動板前後の音が遮断される。
【数１】
2016019180.tif 000003
【００３４】
以上により、振動板の背面で発生する逆位相音の回り込み防止しながら、リニアリティのよい、高コンプライアンスの振動板を実現した。なお、スリット状の孔５，６は振動体１が振幅する際にそれぞれ開閉動作をするが、振動体１の最大振幅時にスリット状の孔の一部において、スリットが狭まる方向に変位した場合、スリット孔の幅が十分ないとスリットの辺同士が接触し、振動を阻害してしまう。したがって、振動体１の最大振幅時にスリットの辺同士がぶつからないよう、スリットは一定以上の幅を有することが望ましい。
【００３５】
図１（Ｅ）に本願のスピーカ用振動板を用いて試作したスピーカユニット（９×１６ｍｍ）の周波数−音圧特性を示す。表面部材３および裏面部材４は厚み１２μｍのＰＥＥＫ（ポリエーテル・エーテルケトン）を使用、スリット孔５、６の幅はそれぞれ約０．１５ｍｍである。図１（Ａ）に示すように、表面部材３に設けられているスリット孔５は１６個、裏面部材４に設けられているスリット孔６は１２個である。図１（Ｅ）スリット孔５、６がない従来振動板（積層していないＰＥＥＫ２５μｍ、同形状のサスペンション）を用いたスピーカユニット特性と比べると、ｆｏが大幅に低減されていることがわかる。インピーダンスのピークから求めた最低共振周波数の結果から算出したサスペンション２のスティフネスは３２４Ｎ／ｍで、スリット孔のないときのスティフネス１１７６Ｎ／ｍに比べて大幅に低減されていることがわかる。
【００３６】
なお、図１（Ｄ）に示すように、サスペンション２のリニアリティを調整するために、サスペンション断面において内周側の曲率半径と外周側の曲率半径が異なり、外周側の曲率半径の方が小さくしている。しかし、このような効果が不要な場合は、一定の曲率半径で構成してもよい。また、サスペンション２の断面形状はロール状であるが、凹凸が連続する蛇腹状でもよい。
【００３７】
また、表面部材３と裏面部材４の間は、図２（Ａ）では空間となっているが、図２（Ｂ）、図２（Ｃ）で示すように中間部材９を配置してもよい。図２（Ｂ）では表面部材３と裏面部材４の積層部分のみに中間部材９が配置されている。一方、図２（Ｃ）ではサスペンション２の全体にわたって中間部材９が配置されている。中間部材９の材料は孔の変形をできる限り阻害しない、機械的に柔軟な材料である必要がある。中間部材９の例としては、きわめて揮発しにくい液体（例えば石油系オイルやシリコーン系オイルなど）、変形容易なエラストマ材料（ゴムなど）、ゲル状体、粘着材料などがある。
【００３８】
表面部材３および裏面部材４の材料としては、例えばＰＩ（ポリイミド）、ＰＥＥＫ（ポリエーテル・エーテルケトン）、ＰＥＩ（ポリエーテルイミド）、ＰＥＮ（ポリエーテルニトリル）、ＰＥＴ（ポリエチレンテレフタラート）などの樹脂フィルム材料、ソリッドゴム、発泡ゴム、ウレタン、樹脂材料またはゴムが含浸された布材や紙、粘着材料のいずれか、またはそれらの組み合わせから構成されてもよい。
【００３９】
（実施の形態２）
図３は本発明の実施の形態２のスピーカ用振動板の上面図である。図３において、各部材および振動体１の動作は実施の形態１と共通であるので、説明を省略する。
【００４０】
図３において、表面部材３はサスペンション２の４隅に４箇所に分かれて配置されている。これにより、より軽量な振動板を実現でき、スピーカ装置の電気−音響変換の効率が向上する。
【００４１】
また、孔５、６の間隔は均一ではなく、サスペンション２の曲線部の中央で密になっている。振動体１の振動時によりサスペンション２の伸長、圧縮が必要な部分に、集中的に孔を配置することで、サスペンション２の剛性低減およびサスペンション２のリニアリティ向上に効果が得られる。
【００４２】
（実施の形態３）
図４は本発明の実施の形態３のスピーカ用振動板の上面図である。図４において、１は円形状の外周を持つ振動体である。各部材および振動体１の動作は実施の形態１と共通であるので、説明を省略する。振動体１の形状は、円形状のほか、楕円、多角形、あるいは２本以上の直線と曲線の組み合わせで構成される形状であっても構わない。
【００４３】
また、孔５、６の形状はサスペンション２の内周部から外周部に向かって、広がるように形成されているが、図５（Ａ）のように平行線で形成されていても構わない。さらには、孔５、６の形状はそれぞれ、図５（Ｂ）、（Ｃ）、（Ｄ）、（Ｅ）、（Ｆ）に示すような形状・配置であっても構わない。図５（Ａ）は２辺が平行なスリット状の孔、図５（Ｂ）は２本の曲線によって構成された孔、図５（Ｃ）は楕円形状の孔である。さらに図５（Ｄ）は図１（Ｄ）に示したようなロール形状の幅よりも孔の形状が小さい例、図５（Ｅ）は同じくロール形状の幅よりも孔の形状が大きい例を示す。ロール形状の立ち上がり部で孔を形成することは工法的に難しい場合、孔とロール形状の幅の関係はどちらであっても構わない。特に図１（Ｄ）に示したように、ロール形状の外側のみに接着剤７、接着剤８を塗布することによって、いずれの場合でも動作に問題が生じることはない。さらに図５（Ｆ）に示すように、サスペンション２の幅に対し、孔５（または６）の位置がずれていても構わない。この場合、サスペンション２の振動体１の支持力の線形性を孔の位置および形状で調整することが可能であり、より線形性のよい振動板が実現可能である。
【００４４】
さらに、孔５、６は、図６に示すようにスリット状の孔で形成され、サスペンション２の内周曲線の法線に対し、ある一定の角度θでスリットを設けてもよい。スリットがサスペンション２のロール幅より長く形成されることで、応力を回転方向の力として緩和することができ、振動体１はよりスムーズな振動が可能である。
【００４５】
孔５，６は、図７（Ａ）、（Ｂ）に示すような配置でもよい。図７（Ａ）は楕円状のスリット孔を設けた構成、図７（Ｂ）は小さい孔をサスペンション２の内周から外周にかけて複数設けた例である。
【００４６】
（サスペンションの製造法）
図８（Ａ）には、サスペンション２の製造法の一例を示す。表面部材３と裏面部材４を積層した後に孔５を形成する場合、機械刃１０でサスペンション２全体ではなく、表面部材３のみを切断する、いわゆるハーフカット工法と呼ばれる工法を用いてもよい。この際、加工機の精度によっては、裏面部材４を一部切断しても構わない。また、機械刃１０の形状によっては、断面がサスペンション２の表面に対して図２（Ａ）、（Ｂ）、（Ｃ）に示したような垂直な断面にはならないが、特に性能に大きな影響はない。
【００４７】
図８（Ｂ）は、サスペンション２に中間部材９がある場合の製造法の一例を示す。図８（Ａ）と同様に、ハーフカット工法を用いてもよい。ハーフカットのため、厚み方向に刃の位置を精度よく設定し、刃を動かすことで、孔５を形成する。加工機の精度によっては、中間部材９を一部切断しても構わない。また、レーザー光を用いて孔５を形成する方法もある。このとき、中間部材９にレーザー光を反射、もしくは吸収する材料を用いれば、表面部材３を切断したあと、レーザー光は中間部材９にて反射、もしくは吸収され、裏面部材４はカットされない。
【００４８】
図８（Ｃ）には、積層前の表面部材３に孔５を設ける機械刃１０の例を示す。一定幅の孔を設けるために、上側の刃の断面形状は２箇所でカットするような形状となっている。一方、表面部材３の下に受け刃を用いることで、より高い精度で孔をあけることが可能である。
【００４９】
しかし、口径が小さいスピーカでは、サスペンション２のサイズも小さく、スリットの幅をより狭く設計しなければいけない場合がある。その場合、図８（Ｃ）の上側の刃のように２つの刃を狭い範囲に並べることは技術的に難しい。また、刃の高さが十分取れないため、刃の寿命が短くなり、量産性も悪い。表面部材３が平面状の状態で、立体成型前に図８（Ｄ）に示したような、単一の刃で孔をあけておく。その後、ロール形状に成型すると、成型時の応力によって、孔が開く。このため、振動板の変位時に孔が狭まる方向に変位しても、孔の辺同士が接触しない、十分な幅の孔を形成することができる。
【００５０】
（実施の形態４）
図９は、本発明の実施の形態４のスピーカユニットの断面図である。２０はスピーカユニット、１は振動体、２はサスペンションを示し、実施の形態１〜３に示したスピーカ用振動板のいずれかが選択される。２１はプレート、２２はマグネット、２３はヨークで磁気回路を構成し、形成された磁気ギャップにボイスコイル１４が配置されている。ボイスコイル１４は振動体１に固着され、ボイスコイル１４に電気信号を印加すると、振動板が振動し、音が再生される。２４は磁性流体、２５はフレームである。サスペンションの剛性が下がると振動板は通常の振動方向以外の振動、いわゆるローリング振動をしやすくなる。このローリング振動を抑えるため、磁気回路中には磁性流体２４が配置され、ローリング振動を防止する。もし、このような効果を期待しない場合は、磁性流体２４を省略しても構わない。
【００５１】
実施の形態１〜３に記載のように、従来に比べて振動体支持力のリニアリティがよく、振動体の支持力を低減可能なため、低歪で低音再生が可能なスピーカユニットが実現可能である。
【００５２】
なお、スピーカユニット２０は図１０のような構成としてもよい。図１０において、３は振動体の一部を兼ねた表面部材、４はボイスコイル支持体を兼ねた裏面部材である。１１は表面材、１２は中空材、１３は裏面材であり、１１、１２、１３でハニカム構造体を構成し、表面部材３の上に固着することで振動体が構成される。図９では、振動体１に直接ボイスコイル１４を固着していたため、磁気ギャップにおけるボイスコイル１４の位置はある程度固定されてしまっていたが、図１０の構成ではボイスコイルボビンを別途設けなくても、裏面部材４によってボイスコイル１４が磁気回路中のもっとも磁束の大きい位置に配置できるため、質量の増加を抑えながら駆動力を最大化でき、より能率の高いスピーカユニットを実現可能である。さらに振動体１は、２枚の板で挟まれたハニカム構造であり、高さが制約される小型スピーカでも、高い剛性の振動体が得られるため、軽量で高域特性のよいスピーカユニットが実現できる。なお、このような効果を期待しない場合、振動体はドーム形状であっても、コーン形状であっても構わない。
【００５３】
また、図１０では動電型のスピーカユニットを示したが、圧電型、静電型など他駆動方式のスピーカユニットに、実施の形態１〜３のスピーカ用振動板を適用してもよい。
【００５４】
また、図１０ではサスペンション２のロールの向きを上に凸にしたが、逆に下に凸となっているロール形状であってもよい。
【００５５】
（実施の形態５）
図１１は本発明の実施の形態５のタブレット端末である。２０１はタブレット端末、２０２はディスプレイ、２０は実施の形態１〜３に記載のスピーカ用振動板を搭載したスピーカユニットである。近年、タブレット端末等のモバイル端末では筐体の小型・薄型化とともに、ディスプレイの大型化によって、スピーカの搭載位置が端末の端になり、より小型化が求められている。一方で、画面の高精細化にともない、音の音質向上が求められている。実施の形態１〜３に記載のスピーカ用振動板を用いたスピーカユニット２０を用いれば、小型でも低音かつ低歪な音が提供可能なタブレット端末２０１を実現可能である。
【００５６】
（実施の形態６）
図１２は本発明の実施の形態６の画像表示装置である。より具体的には、例えばＰＣ用のディスプレイやテレビなどである。図１２において、２０３は画像表示装置、２０２はディスプレイ、２０はスピーカユニットである。ディスプレイの大型・高精細化と並行して高音質再生が求められる一方、画面周囲の縁が狭い「狭額縁」デザインの要求に対し、スリム形状のスピーカが求められている。そこで、小型スピーカユニット２０を複数狭額縁に配置した。従来のスピーカは、サスペンションの幅が十分確保できないスリム形状では低音再生が不十分であったが、実施の形態１〜３に記載のスピーカ用振動板を用いたスピーカユニット２０では小型でも低音かつ低歪な音が再生可能である。したがって、「狭額縁」デザインでも、高音質な再生音を提供可能である。
【００５７】
（実施の形態７）
図１３は本発明の実施の形態７の車載スピーカである。図１３において、２０４は車のドア、２０は実施の形態１〜３に記載のスピーカ用振動板を用いたスピーカユニットである。従来、車載スピーカは低音再生能力を重視するため、サイズが大きくなり、車内の限られた場所にしか配置できなかったが、実施の形態１〜３に記載のスピーカ用振動板を用いたスピーカユニット２０であれば、小型でも低音・低歪再生が可能となるため、従来実装できなかった、窓枠に配置することができている。なお、図１３では窓の枠にスピーカユニット２０を配置したが、車の天井やダッシュボード、フロントパネル、ピラー、ヘッドレスト、ハンドルなどに設置しても構わない。
【００５８】
（実施の形態８）
図１４は本発明の実施の形態８のインナーイヤーホンである。図１４において、２０５はインナーイヤーホン、２０６はリード線、２０７はイヤープラグ、２０は実施の形態１〜３に記載のスピーカ用振動板を用いたスピーカユニットである。インナーイヤーホンは耳穴に挿入した際の装着感を改善するため、小型で軽量かつ高出力であることが求められる。さらに、イヤープラグ２０７と耳穴との接触面から空気が漏れるとインナーイヤーホン２０５の低音再生性能が低下するため、スピーカユニット２０にはより低音再生が求められる。実施の形態１〜３に記載のスピーカ用振動板を用いたスピーカユニット２０は、小型でも低音・低歪再生が可能となるため、小型で装着感のよい高音質インナーイヤーホンを提供可能である。なお、図１４はインナーイヤーホンを示したが、耳載せ型のヘッドホン、または耳を覆う形のヘッドホンにスピーカユニット２０を搭載してもよい。
【産業上の利用可能性】
【００５９】
本発明にかかるスピーカ用振動板は、高リニアリティと高コンプライアンスを有し、スピーカ、特に小型で低音を再生するスピーカとして有用である。またスピーカを搭載したモバイル機器、ＡＶ機器、車や鉄道などの移動手段等の用途にも応用できる。
【符号の説明】
【００６０】
１  振動体
２  サスペンション
３  表面部材
４  裏面部材
５  表面部材に設けられた孔
６  裏面部材に設けられた孔
７  接着剤
８  接着剤
９  中間部材
１０  孔加工用の機械刃
１４  ボイスコイル
２０  スピーカユニット
２４  磁性流体
１０１  振動体
１０２  サスペンション
１０３  孔
【図２（Ａ）】
2016019180.tif 000004
【図２（Ｂ）】
2016019180.tif 000005
【図２（Ｃ）】
2016019180.tif 000006
【図５（Ａ）】
2016019180.tif 000007
【図５（Ｂ）】
2016019180.tif 000008
【図５（Ｃ）】
2016019180.tif 000009
【図５（Ｄ）】
2016019180.tif 000010
【図５（Ｅ）】
2016019180.tif 000011
【図５（Ｆ）】
2016019180.tif 000012
【図７（Ａ）】
2016019180.tif 000013
【図７（Ｂ）】
2016019180.tif 000014
【図８（Ａ）】
2016019180.tif 000015
【図８（Ｂ）】
2016019180.tif 000016
【図８（Ｃ）】
2016019180.tif 000017
【図８（Ｄ）】
2016019180.tif 000018
【図９】
2016019180.tif 000019
【図１０】
2016019180.tif 000020
【図１３】
2016019180.tif 000021
【図１５】
2016019180.tif 000022
【図１（Ａ）】
2016019180.tif 000023
【図１（Ｂ）】
2016019180.tif 000024
【図１（Ｃ）】
2016019180.tif 000025
【図１（Ｄ）】
2016019180.tif 000026
【図１（Ｅ）】
2016019180.tif 000027
【図３】
2016019180.tif 000028
【図４】
2016019180.tif 000029
【図６】
2016019180.tif 000030
【図１１】
2016019180.tif 000031
【図１２】
2016019180.tif 000032
【図１４】
2016019180.tif 000033